(57)【要約】【課題】本発明は電子装置に係り、接続可能な光ファイバケーブルの本数を増やすと共に接続された光ファイバケーブルのルートを整える光ファイバケーブル余長処理を簡便に出来るようにすることを課題とする。【解決手段】下側に光ファイバケーブル用ダクト７を備えたブックシェルフ型サブラック２と、サブラック２に並んで実装してある光プラグインユニット３０とを有する。光プラグインユニット３０は、光ファイバケーブルが光プラグインユニット３０のフロントパネル３３に接続される構成であり、且つ、フロントパネル３３の前面のうち下端側に光ファイバケーブル余長処理機構６０を有する構成である。機構６０は、フロントパネル３３に固定された第１のガイド部材６１と、旋回可能な第２のガイド部材７０とを有する。光ファイバケーブルを第１のガイド部材６１と第２のガイド部材７０との間に通して、第２のガイド部材７０を旋回させることによって、光ファイバケーブルは逆Ｓ字形状に整形される。【選択図】図１
2007272124.tif 000002
【特許請求の範囲】
【請求項１】
正面に光ファイバケーブルが接続される光インタフェースを有する構造であり、サブラックに装着されるプラグインユニットであって、
正面のうち前記光インタフェースよりも下方の部位に、正面側の光ファイバケーブルの余長処理を行なう光ファイバケーブル余長処理機構を備えた構成としたことを特徴とするプラグインユニット。
【請求項２】
請求項１に記載のプラグインユニットにおいて、
前記光ファイバケーブル余長処理機構は、
前記プラグインユニットに変位可能に設けてあり、変位されて、前記正面側の光ファイバケーブルが所定のルートを形成するように案内するガイド部材を有する構成としたことを特徴とするプラグインユニット。
【請求項３】
請求項１に記載のプラグインユニットにおいて、
前記光ファイバケーブル余長処理機構は、
前記プラグインユニットに固定してあり、前記プラグインユニットの正面より突き出ている第１のガイド部材と、
前記プラグインユニットに変位可能に設けてあり、変位されて、前記第１のガイド部材の下側に到る第２のガイド部材とよりなり、
前記第２のガイド部材が変位されて前記第１のガイド部材の下側に到ったことによって、前記光ファイバケーブルが、前記第１のガイド部材に案内され且つ前記第２のガイド部材に案内された状態とされる構成としたことを特徴とするプラグインユニット。
【請求項４】
請求項３に記載のプラグインユニットにおいて、
該プラグインユニットは、該プラグインユニットをサブラックから引き抜くときに操作されるカードレバーを有し、
前記第２のガイド部材は、変位されて前記第１のガイド部材の下側に到った状態で、前記カードレバーの操作部を係止する構成としたことを特徴とするプラグインユニット。
【請求項５】
挿入側開口の下側にケーブルダクトが備えてあるサブラックと、
前記サブラックに並んで実装してある、請求項１乃至４のうちいずれか一項に記載のプラグインユニットとを有し、
前記プラグインユニットの正面より外に出て前記正面側を下方に延びているケーブルが、前記光ファイバケーブル余長処理機構によって案内されて、前記ケーブルダクトに向かわされている構成としたことを特徴とする電子装置。
【発明の詳細な説明】
【技術分野】
【０００１】
本発明はプラグインユニットに係り、特に、ブックシェルフ型サブラック内に装着される構成のプラグインユニット、及びこのプラグインユニットがサブラック内に装着されて並んでおり、外部から導かれている光ファイバがプラグインユニットに接続してある構成の電子装置に関する。
【背景技術】
【０００２】
この種の電子装置においては、回線の増設への対応がしやすいように、各プラグインユニットを、これに接続可能な光ファイバの数を出来るだけ多くできる構造とすることが求められている。
【０００３】
また、プラグインユニットを多くの数の光ファイバを接続可能な構成とすると、装着されているプラグインユニットの前面から延びている光ファイバの数が多くなり、この本数の多い光ファイバの配線を整える作業が煩雑となるので、この作業を簡単に行なえるようにすることも必要となる。
【０００４】
従来から、プラグインユニットがサブラック内に並んで装着された構成であり、外部から導かれている光ファイバがプラグインユニットに接続された構成の電子装置がある。この種の電子装置においては、光ファイバが、装着されているプラグインユニットの前カバーの内側に収まる構成である。プラグインユニットからみると、光ファイバはプラグインユニットの前カバーの内側を通ってサブラックの下側のケーブルダクトに到っていた。
【特許文献１】特開２００２−５０８８７号公報
【発明の開示】
【発明が解決しようとする課題】
【０００５】
光ファイバが装着されたプラグインユニットの前カバーの内側に収まる構成であるため、プラグインユニットは、これに接続することが可能である光ファイバの本数が少なく制限されてしまっていた。
【０００６】
そこで、本発明は上記課題を解決したプラグインユニットを提供することを目的とする。
【課題を解決するための手段】
【０００７】
本発明の一態様にかかるプラグインユニットは、正面に光ファイバケーブルが接続される光インタフェースを有する構造であり、サブラックに装着されるプラグインユニットであって、
正面のうち前記光インタフェースよりも下方の部位に、正面側の光ファイバケーブルの余長処理を行なう光ファイバケーブル余長処理機構を備えた構成としたことを特徴とする。
【発明の効果】
【０００８】
本発明によれば、光インタフェースが正面に設けてある構成であるため、接続できる光ファイバケーブルの本数を多くすることが出来る。しかも、光ファイバケーブル余長処理機構を備えた構成であるため、正面側の光ファイバケーブルについて余長処理を行なうことが出来る。
【発明を実施するための最良の形態】
【０００９】
次に発明を実施するための最良の形態について説明する。
［実施例１］
図１は本発明の実施例１に対応する電子装置１を示す。Ｘ１−Ｘ２は幅方向、Ｙ１−Ｙ２は奥行き方向、Ｚ１−Ｚ２は高さ方向である。Ｙ２側が電子装置１の正面である。
【００１０】
電子装置１は、サブラック２に、光インタフェースを持たないプラグインユニット２０と、正面に光インタフェースを持つ光プラグインユニット３０とがＹ２側からプラグイン実装されて並んでいる構成である。
【００１１】
構造を分かり易くするために、光プラグインユニット３０については、装着されてあって光ファイバケーブルの配線の処理がなされているものの他に、装着途中の状態のもの、光ファイバケーブルが接続されていないもの、保護カバーが取外されているものが図示してある。
【００１２】
サブラック２は、箱形状であり、背面側に、コネクタ（図示せず）が並んで配置してあるバックプレーン３を有し、Ｙ２側（正面）が挿入側開口４であり、上面側及び下面側に夫々ガイドレール５、６が並んで固定してあり、ガイドレール６のＹ２端のＺ２側に光ファイバケーブル用ダクト７がＸ方向に延在して設けてある構成である。このダクト７のＹ２側は、開閉可能なカバー８によって塞がれている。
【００１３】
図２は光ファイバケーブルが接続される前の光プラグインユニット３０を示し、図３はこの光プラグインユニット３０を分解して示す。図４はプリント板３１のＹ２側の部分を拡大して示す。図２及び図３に示すように、光プラグインユニット３０は、大略、プリント板３１が、シールドカバー３２とフロントパネル３３とよりなる偏平の箱体内に収まっている構成である。Ｙ２側の面が、光プラグインユニット３０の正面である。プリント板３１には、Ｙ１側にコネクタ３４を有し、Ｚ１、Ｚ２側にアーム３５，３６を有し、Ｙ１側の辺に沿って、４つのケージ３７がコネクタ３８（図５参照）を覆うようにして、且つ差込口３７ａが下側とされた斜めの向きで並んで取り付けてあり、その他に、ＬＥＤ３９と電子部品（図示せず）が実装してある。
【００１４】
図５はケージ３７と光モジュール４０との関係を拡大して示す。図示の便宜上、その向きは、図３の向きとは相違している。ケージ３７は、金属板製の直方体の箱体である。このケージ３７に光モジュール４０が差し込まれて装着される。光モジュール４０は、具体的には、SFP（Small Form Factor Pluggable）であり、一端に、光プラグソケット４１、４２を有し、内部に光電変換素子（図示せず）を有し、反対側の端に、エッジ型端子４３を有する。光モジュール４０は、差込口３７ａより差し込まれ、ケージ３７内に収まり、エッジ型端子４３をコネクタ３８と接続され、光プラグソケット４１、４２がケージ３７の外に突き出た状態で装着される。
【００１５】
シールドカバー３２はＹ１側とＹ２側とが開口としてある偏平な箱体である。
【００１６】
フロントパネル３３は、Ｙ１側が開口としてある箱体である。フロントパネル３３のＹ２側の面である正面は、面部３３ａと面部３３ｂとよりなる三角形が連続したジグザグ形状とされており、略Ｚ２方向を向いた面部３３ｂには、開口３３ｃが形成してある。
【００１７】
このフロントパネル３３は、図４に示すように、各開口３３ｃがケージ３７の差込口３７ａと嵌合した状態で、プリント板３１のＹ２側にこの部分を覆うように取り付けてある。各ケージ３７の差込口３７ａが、フロントパネル３３の面部３３ｂより突き出ている。
【００１８】
また、このフロントパネル３３には、Ｚ１側とＺ２側とに、カードレバー４５，４６が取り付けてある。カードレバー４５，４６は、光プラグインユニット３０をサブラック２に実装するときの最終段階において回動され最後にＹ１方向に押し付け操作されて、光プラグインユニット３０にＹ１方向の強力な力を作用させ、及び、光プラグインユニット３０をサブラック２から抜くときの最初の段階において引いて回動操作されて、光プラグインユニット３０にＹ２方向の強力な力を作用させる。
【００１９】
光モジュール４０がケージ３７に装着されると、これが光インタフェースを構成する。よって、光プラグインユニット３０は、Ｙ２側の面である正面に、複数の光インタフェースが並んで設けてある構成である。
【００２０】
上記構成の光プラグインユニット３０は、図１に示すように、入り口開口４より、ガイドレール５，６に案内されて、サブラック２内に挿入され、最後に、カードレバー４５，４６を操作することによって最終位置まで押し込まれて、コネクタ３４をバックプレーン３上のコネクタと接続されて実装される。
【００２１】
操作者は、電子装置１の正面側に立って、所望のケージ３７に光モジュール４０を装着し、外部からの光ファイバケーブル５０の先端のプラグを光プラグソケット４１、４２に差し込んで接続する。よって、光プラグインユニット３０は、用意できる光プラグソケット４１、４２が最大８個となり、接続できる光ファイバケーブルの本数が最大８本と多い構成である。
【００２２】
図６は全部のケージ３７に光モジュール４０を装着し、全部の光プラグソケット４１、４２に光ファイバケーブル５０を接続したときの状態、即ち、光ファイバケーブルの配線余長処理を行なう前の状態を示す。
【００２３】
全部の光プラグソケット４１、４２は斜め下側を向いているため、光プラグインユニット３０の前面より出ている光ファイバケーブル５０は、斜め下方向に延在している。
［光ファイバケーブルの余長処理機構の構成］
次に、各光プラグインユニット３０に設けてある光ファイバケーブル余長処理機構６０について説明する。なお、本発明において、余長処理とは、単に光ファイバケーブルの弛みを除去する他に、光ファイバケーブルが所定のルートを整える光ファイバケーブルルート整形処理も含む概念である。
【００２４】
余長処理機構６０は、図４及び図２に示すように、光プラグインユニット３０のうちフロントパネル３３の前面のＺ２寄りの個所に設けてあり、フロントパネル３３に固定してある第１のガイド部材６１と、旋回可能である第２のガイド部材７０とよりなる構成である。
【００２５】
図８は、余長処理機構６０によって、光ファイバケーブルのルートが処理された状態を示す。図９は図８中の余長処理機構６０を拡大して示す。
【００２６】
第１のガイド部材６１及び第２のガイド部材７０は、共に、摩擦係数の小さい例えばポリアセタール樹脂の成形品、或いは、表面にテフロン（登録商標）の膜が形成してある部品であり、光ファイバケーブルを案内する部分は滑動性に富む構成としてある。
【００２７】
図１０（Ａ）乃至（Ｄ）は第１のガイド部材６１を示す。第１のガイド部材６１は、中心孔６９を中心として半径がＲ１の円弧面部６２と、円弧面部６２の両側の鍔部６３，６４とを有し、鍔部６３，６４によって溝部６５が形成されている構造である。半径Ｒ１は２５．４ｍｍ（１インチ）であり、伝送特性が悪化が起き始める光ファイバケーブルの最小の曲げ半径よりも大きい。６６はクリックロック用の突起である。第１のガイド部材６１は、図４（Ｂ）に示すように、爪付きスタッド６７，６８をフロントパネル３３の孔に嵌合させて、フロントパネル３３の前面に固定してあり、Ｙ２方向に突き出ている。
【００２８】
図１１（Ａ）乃至（Ｄ）は第２のガイド部材７０を示す。第２のガイド部材７０は、前記第１のガイド部材６１と同じく、半径がＲ１の円弧面部７２と、円弧面部７２の両側の鍔部７３，７４とを有し、鍔部７３，７４によって溝部７５が形成されている構造である。鍔部７３より腕部７９が張り出ている。腕部７９は孔７９ａを有する。また、第２のガイド部材７０は、更に、張り出し部７１と、舌片７６と、つまみ部７７と、クリックロック用の突起７８とを有する。
【００２９】
第２のガイド部材７０は、その孔７９ａを、第１のガイド部材６１の中心孔６９の軸７９に嵌合させて取り付けてあり、第１のガイド部材６１の中心孔６９を中心に、図６及び図７に示す位置、即ち、第１のガイド部材６１のＹ２側の位置と、図８及び図９に示す位置、即ち、第１のガイド部材６１の直ぐ下側（Ｚ２側）の位置との間の角度範囲で旋回可能である。なお、第２のガイド部材７０は旋回させようとすれば、図６及び図７に示す位置よりもＺ１側にまで旋回が可能である。
【００３０】
余長処理前では、通常は、突起７８が突起６６に係止されて、第２のガイド部材７０は図６、図７及び図１２（Ａ）に示すように第１のガイド部材６１のＹ２側に位置している。
【００３１】
図４（Ｂ）に示すように、フロントパネル３３には、舌片７６を係止するロック機構部８０が固定してある。ロック機構部８０は最初に押されるとロックし、この状態で深く押されるとロックが解除される構成である。
［光ファイバケーブルの余長処理機構の操作及び動作］
次に、光ファイバケーブル余長処理機構６０の操作及び動作について説明する。
【００３２】
先ず、図１２（Ａ）に示すように、光プラグインユニット３０の前面より出て斜め下方向に延在している光ファイバケーブル５０を、第１のガイド部材６１の溝部６５の一部に収めると共に、第１のガイド部材６１と第２のガイド部材７０との間を通るように整理する。
【００３３】
次いで、第２のガイド部材７０を押し下げて、第２のガイド部材７０を図１３（Ｂ）に示す最終位置まで約９０度旋回させる。第２のガイド部材７０は、舌片７６をロック機構部８０に係止されてその位置に固定される。
【００３４】
突起７８が突起６６を乗り越えることによって、第２のガイド部材７０は回動を開始し、図１２（Ｂ）まで回動されると、第１のガイド部材６１よりＺ２方向に延在している光ファイバケーブル５０に当り、更に回動されると光ファイバケーブル５０をＹ１方向に押し、図１３（Ａ）に示すように、光ファイバケーブル５０を、第１のガイド部材６１の円弧面部６２に巻き付けると共に、光ファイバケーブル５０が第２のガイド部材７０の円弧面部７２に相対的に巻き付けられるようにする。
【００３５】
第２のガイド部材７０は、第１のガイド部材６１の直ぐ下側に入り込んで、図１３（Ｂ）に示す最終位置に到ってロックされた状態となる。この状態では、光ファイバケーブル５０は、同図に示すように、第１のガイド部材６１の円弧面部６２に巻き付けられ、続いて、第２のガイド部材７０の円弧面部７２に巻き付けられ、逆Ｓ字形状に湾曲されて整形され、第２のガイド部材７０よりＺ２方向に出る位置Ｐ１が、フロントパネル３３の前面よりＹ１方向に寸法ａ寄せられた位置とされる。この位置Ｐ１はダクト７の真上の位置である。
【００３６】
よって、第２のガイド部材７０よりＺ２方向に延びている光ファイバケーブル５０は、自然にダクト７内に入って、ダクト７内に収まり、ダクト７に沿ってＸ１又はＸ２方向に延在する状態となり、しかも、第１のガイド部材６１よりＺ１側の部分の光ファイバケーブル５０ａに存在していた弛みが除去されて、光ファイバケーブルの余長処理は完了する。よって、光ファイバケーブルの余長処理は簡単に行なわれる。なお、光ファイバケーブルの余長処理が完了した状態では、光プラグインユニット３０の前面側の光ファイバケーブル５０は、図８に示す状態となる。
【００３７】
図１３（Ｂ）の逆Ｓ字形状は、光ファイバケーブル５０の曲率半径を最小の曲げ半径よりも大きい半径Ｒ１でもって形成され、伝送特性の悪化は起きない。
【００３８】
また、光ファイバケーブル５０は、鍔部６３，６４によって円弧面部６１からＸ方向へ脱落することを防止されて、且つ、鍔部７３，７４によって円弧面部７２からＸ方向へ脱落することを防止されて、即ち、溝部６５、７５内に保持されたまま、逆Ｓ字形状に湾曲される。
【００３９】
なお、図８に示す状態において、第２のガイド部材７０をＹ１方向に押し込むと、舌片７６のロック機構部８０によるロックが解除され、第２のガイド部材７０はＹ２方向に回動される。
【００４０】
次に、光ファイバケーブルの余長処理を行なうときに、光ファイバケーブル５０に作用する力について説明する。
【００４１】
図１２（Ｂ）中、三角マーク８０−１は第２のガイド部材７０が光ファイバケーブル５０に接触した位置を示す。三角マーク８１は、三角マーク８０−１と同じ位置を示す。第２のガイド部材７０が回動されると、三角マーク８０−１は略Ｚ２方向に移動し、図１３（Ａ）に示す状態では、符号８０−２で示す位置まで移動し、図１３（Ｂ）に示す最終状態では、符号８０−３で示す位置まで移動する。よって、第２のガイド部材７０の円弧面部７２は、光ファイバケーブル５０を擦りながら移動する。これによって、光ファイバケーブル５０には引っ張り力が作用することになるけれども、円弧面部７２の表面は滑りやすくて摩擦係数が小さい状態にあるため、光ファイバケーブル５０に作用する引っ張り力は小さく、不都合は起きない。
【００４２】
次に、余長処理が完了した状態における第２のガイド部材７０の別の機能について説明する。
【００４３】
正常には、光プラグインユニット３０の引き出しは、余長処理が解除された状態（好ましくは、光ファイバケーブル５０を光モジュール４０から抜去した状態）で行なわれるようになっている。余長処理がなされた状態で光プラグインユニット３０を引き出そうとすると、光ファイバケーブル５０が無理に引っ張られて光ファイバケーブル５０を傷めてしまうからである。
【００４４】
余長処理が完了した状態において、図９に示すように、第２のガイド部材７０の張り出し部７１が、操作された状態にあるカードレバー４６を係止している。これによって、カードレバー４６を操作することが出来ないようになる。
【００４５】
このため、余長処理がなされたままの状態で、カードレバー４６が不意に操作されて、光プラグインユニット３０が引き出されることが防止され、光ファイバケーブル５０が保護される。
【００４６】
図１中、９０は保護カバー部材であり、光プラグインユニット３０のフロントパネル３３に取り付けられており、弛みが除去された光ファイバケーブル５０と、余長処理された状態の余長処理機構６０の第１のガイド部材６１を覆っている。
［実施例２］
図１４は本発明の実施例２になる光プラグインユニット３０Ａを示す。光プラグインユニット３０Ａは、光ファイバケーブル余長処理機構６０Ａが、前記の光プラグインユニット３０と相違する。光ファイバケーブル余長処理機構６０Ａは、第２のガイド部材７０Ａが前記の光ファイバケーブル余長処理機構６０とは相違する。
【００４７】
第２のガイド部材７０Ａは、図１５に拡大して示すように、半径Ｒ１のローラ１００を有する構成である。
【００４８】
この光ファイバケーブル余長処理機構６０Ａは、図１６及び図１７に示すように、第２のガイド部材７０Ａを旋回させるように操作される。図１６（Ａ）及び図１７（Ａ）、（Ｂ）に示すローラ１００が光ファイバケーブル５０を押す過程において、ローラ１００は時計方向に回転される。よって、光ファイバケーブル５０に引っ張り力は作用しない。
［実施例３］
図１８は本発明の実施例３になる光プラグインユニット３０Ｂを示す。光プラグインユニット３０Ｂは、光ファイバケーブル余長処理機構６０Ｂが、実施例１の光プラグインユニット３０と相違する。光ファイバケーブル余長処理機構６０Ｂは、第１のガイド部材６１Ｂが前記の光ファイバケーブル余長処理機構６０とは相違する。
【００４９】
第１のガイド部材６１Ｂは、図１９に拡大して示すように、鋼線１１０を曲げて形成したものであり、光ファイバケーブル５０を案内する光ファイバケーブル案内部分１１１を有する。光ファイバケーブル５０は、光ファイバケーブル案内部分１１１で案内されている。
【００５０】
第１のガイド部材６１Ｂは、操作者の手の指が当った場合に、弾性的に撓み、操作者の手の指が離れると元の形状に戻る。よって、操作の邪魔になりにくく、また、怪我をすることもない。
【００５１】
以上、本発明の好ましい実施例について詳述したが、本発明はかかる特定の実施形態に限定されるものではなく、特許請求の範囲内に記載された本発明の要旨の範囲内において、種々の変形・変更が可能である。
（付記１）  正面に光ファイバケーブルが接続される光インタフェースを有する構造であり、サブラックに装着されるプラグインユニットであって、
正面のうち前記光インタフェースよりも下方の部位に、正面側の光ファイバケーブルの余長処理を行なう光ファイバケーブル余長処理機構を備えた構成としたことを特徴とするプラグインユニット。
（付記２）  付記１に記載のプラグインユニットにおいて、
前記光ファイバケーブル余長処理機構は、
前記プラグインユニットに変位可能に設けてあり、変位されて、前記正面側の光ファイバケーブルが所定のルートを形成するように案内するガイド部材を有する構成としたことを特徴とするプラグインユニット。
（付記３）  付記１に記載のプラグインユニットにおいて、
前記光ファイバケーブル余長処理機構は、
前記プラグインユニットに固定してあり、前記プラグインユニットの正面より突き出ている第１のガイド部材と、
前記プラグインユニットに変位可能に設けてあり、変位されて、前記第１のガイド部材の下側に到る第２のガイド部材とよりなり、
前記第２のガイド部材が変位されて前記第１のガイド部材の下側に到ったことによって、前記光ファイバケーブルが、前記第１のガイド部材に案内され且つ前記第２のガイド部材に案内された状態とされる構成としたことを特徴とするプラグインユニット。
（付記４）  付記１に記載のプラグインユニットにおいて、
前記第２のガイド部材は、前記第１のガイド部材に旋回可能に支持してある構成としたことを特徴とするプラグインユニット。
（付記５）  付記３に記載のプラグインユニットにおいて、
前記第２のガイド部材は、
前記第１のガイド部材に旋回可能に支持してあり、且つ、前記光ファイバケーブルを案内する部分が滑動性に富む構成としたことを特徴とするプラグインユニット。
（付記６）  付記３に記載のプラグインユニットにおいて、
前記第２のガイド部材は、
前記第１のガイド部材に旋回可能に支持してあり、且つ、前記光ファイバケーブルを案内するローラを有する構成としたことを特徴とするプラグインユニット。
（付記７）  付記３に記載のプラグインユニットにおいて、
請求項３に記載のプラグインユニットにおいて、
前記第１のガイド部材は、鋼線を曲げて形成したものであり、光ファイバケーブルを案内する光ファイバケーブル案内部分を有する構成としたことを特徴とするプラグインユニット。
（付記８）  付記３に記載のプラグインユニットにおいて、
請求項３に記載のプラグインユニットにおいて、
該プラグインユニットは、該プラグインユニットをサブラックから引き抜くときに操作されるカードレバーを有し、
前記第２のガイド部材は、変位されて前記第１のガイド部材の下側に到った状態で、前記カードレバーの操作部を係止する構成としたことを特徴とするプラグインユニット。
（付記９）  付記１に記載のプラグインユニットにおいて、
前記正面側の光ファイバケーブル及び前記光ファイバケーブル余長処理機構を覆う保護カバー部材が取り付けてある構成としたことを特徴とするプラグインユニット。
（付記１０）  挿入側開口の下側にケーブルダクトが備えてあるサブラックと、
前記サブラックに並んで実装してある、付記１乃至９のうちいずれかの付記に記載のプラグインユニットとを有し、
前記プラグインユニットの正面より外に出て前記正面側を下方に延びているケーブルが、前記光ファイバケーブル余長処理機構のよって案内されて、前記ケーブルダクトに向かわされている構成としたことを特徴とする電子装置。
【図面の簡単な説明】
【００５２】
【図１】本発明の実施例１になる電子装置を示す斜視図である。
【図２】光プラグインユニットを示す斜視図である。
【図３】図２の光プラグインユニットを分解して示す斜視図である。
【図４】図３中のプリント板のＹ２側の部分を拡大して示す図である。
【図５】図４中のケージと光モジュールとの関係を拡大して示す図である。
【図６】光ファイバケーブルが接続された状態の光プラグインユニットを示す斜視図である。
【図７】図６中、光ファイバケーブル余長処理機構を拡大して示す図である。
【図８】余長処理機構によって、光ファイバケーブルのルートが処理された状態の光プラグインユニットを示す斜視図である。
【図９】図８中の余長処理機構を拡大して示す斜視図である。
【図１０】第１のガイド部材を示す図である。
【図１１】第２のガイド部材を示す図である。
【図１２】余長処理機構の余長処理動作を順に示す図である。
【図１３】余長処理機構の図１２に続く余長処理動作を順に示す図である。
【図１４】発明の実施例２になる光プラグインユニットを示す斜視図である。
【図１５】図１４中の第２のガイド部材を示す斜視図である。
【図１６】余長処理機構の余長処理動作を順に示す図である。
【図１７】余長処理機構の図１６に続く余長処理動作を順に示す図である。
【図１８】発明の実施例３になる光プラグインユニットを示す斜視図である。
【図１９】図１８中の余長処理機構を拡大して示す斜視図である。
【符号の説明】
【００５３】
１  電子装置
２  サブラック
３  バックプレーン
４  挿入側開口
５、６  ガイドレール
７  光ファイバケーブル用ダクト
８  カバー
２０  プラグインユニット
３０、３０Ａ，３０Ｂ  光プラグインユニット
３１  プリント板
３２  シールドカバー
３３  フロントパネル
３３ａ，３３ｂ  面部
３３ｃ  開口
３４  コネクタ
３５，３６  アーム
３７  ケージ
３７ａ  差込口
３８  コネクタ
４０  光モジュール
４１，４２  光プラグソケット
４３  エッジ型端子
４５，４６  カードレバー
５０  光ファイバケーブル
６０、６０Ａ、６０Ｂ  光ファイバケーブル余長処理機構
６１、６１Ｂ  第１のガイド部材
６２  円弧面部
６３，６４  鍔部
６５  溝部
７０、７０Ｂ  第２のガイド部材
７２  円弧面部
７３，７４  鍔部
７５  溝部
９０  保護カバー部材
１００  ローラ
１１０  鋼線
１１１  光ファイバケーブル案内部分
【図１】
2007272124.tif 000003
【図２】
2007272124.tif 000004
【図３】
2007272124.tif 000005
【図４】
2007272124.tif 000006
【図５】
2007272124.tif 000007
【図６】
2007272124.tif 000008
【図７】
2007272124.tif 000009
【図８】
2007272124.tif 000010
【図９】
2007272124.tif 000011
【図１０】
2007272124.tif 000012
【図１１】
2007272124.tif 000013
【図１２】
2007272124.tif 000014
【図１３】
2007272124.tif 000015
【図１４】
2007272124.tif 000016
【図１５】
2007272124.tif 000017
【図１６】
2007272124.tif 000018
【図１７】
2007272124.tif 000019
【図１８】
2007272124.tif 000020
【図１９】
2007272124.tif 000021